【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
無線音声伝送システムのための送信機であって、
送信されるべきアナログ音声信号をアナログ／デジタル変換する少なくとも１つのアナログ／デジタル変換器ユニット（ＡＤ１〜ＡＤ３）と、
上記送信されるべきデジタル化された信号を圧縮しかつ符号化する圧縮／符号化手段を有する少なくとも１つのデジタル信号処理ユニット（ＤＳＰ＿Ｓ）と、
上記デジタル信号処理ユニット（ＤＳＰ＿Ｓ）のデジタル出力信号をアナログ信号にデジタル／アナログ変換するデジタル／アナログ変換器ユニット（ＤＡＣ）と、
上記デジタル／アナログ変換器ユニット（ＤＡＣ）の出力信号を無線送信する送信ユニット（ＨＦ）とを備える送信機。
【請求項２】
デジタルステータス情報を符号化し、上記デジタルステータス情報を上記圧縮されかつ符号化された信号に加算するステータス情報符号器（ＳＩＥ）をさらに備える請求項１記載の送信機。
【請求項３】
上記デジタル信号処理ユニット（ＤＳＰ＿Ｓ）は、デジタルにより変調を実行する変調手段（ＦＭＭ）を有する請求項１又は２記載の送信機。
【請求項４】
上記デジタル信号処理ユニット（ＤＳＰ＿Ｓ）は、プリエンファシス動作を実行し、上記圧縮されかつ符号化された信号を制限するプリエンファシス／リミッタ手段（ＰＬ）を有する請求項１、２又は３記載の送信機。
【請求項５】
上記デジタル信号処理ユニット（ＤＳＰ＿Ｓ）は、上記送信されるべきデジタル化された信号の信号処理を実行する信号処理手段（ＳＫＭ）を有する請求項１乃至４のうちの１つの請求項記載の送信機。
【請求項６】
外部主マイクロフォン（ＭＭ）の音声信号をデジタル化する第１及び第２のアナログ／デジタル変換器ユニット（ＡＤ１、ＡＤ２）と、
上記第１及び第２のアナログ／デジタル変換器ユニット（ＡＤ１、ＡＤ２）の出力信号を合成するアナログ／デジタル合成手段（ＡＤＣＭ）とを備える請求項１乃至５のうちの１つの請求項記載の送信機。
【請求項７】
外部補助マイクロフォン（ＣＭ）からの音声信号をデジタル化する第３のアナログ／デジタル変換器ユニット（ＡＤ３）をさらに備える請求項１乃至６のうちの１つの請求項記載の送信機。
【請求項８】
無線音声伝送システムのための受信機であって、
無線送信されたアナログＨＦ信号を受信する受信ユニット（ＨＦ）と、
上記ＨＦ信号を中間周波数信号に混合する中間周波数ユニット（ＩＦ）と、
上記無線受信された信号をアナログ／デジタル変換するアナログ／デジタル変換器ユニット（ＡＤ）と、
上記アナログ／デジタル変換器ユニット（ＡＤ）によりデジタル化された信号を伸張して復号する伸張／復号手段（ＥＤＭ）を有するデジタル信号処理ユニット（ＤＳＰ＿Ｅ）と、
上記デジタル信号処理ユニット（ＤＳＰ＿Ｅ）のデジタル出力信号をアナログ信号に変換する少なくとも１つのデジタル／アナログ変換器ユニット（ＤＡ）とを備える受信機。
【請求項９】
上記デジタル信号処理ユニット（ＤＳＰ＿Ｅ）は、上記送信された信号に含まれるステータス情報を復号するステータス情報復号器（ＳＩＤ）を有する請求項８記載の受信機。
【請求項１０】
上記デジタル信号処理ユニット（ＤＳＰ＿Ｅ）は、上記伸張／復号化手段（ＥＤＭ）の前に上記信号内のステータス情報をろ波するフィルタ（Ｆ）を有する請求項９記載の受信機。
【請求項１１】
上記デジタル信号処理ユニット（ＤＳＰ＿Ｅ）は、上記ステータス情報復号器（ＳＩＤ）によって復号されたステータス情報に従って上記伸張されて復号された信号を後処理する後処理手段（ＰＰＭ）を有する請求項９又は１０記載の受信機。
【請求項１２】
上記デジタル信号処理ユニット（ＤＳＰ＿Ｅ）は、上記受信された信号のデジタルベースでの復調を実行するデジタル中間周波数復調手段（ＺＦＭ）を有する請求項８乃至１１のうちの１つの請求項記載の受信機。
【請求項１３】
上記アナログ／デジタル変換器ユニット（ＡＤ）は、上記中間周波数ユニット（ＩＦ）と上記デジタル中間周波数復調手段（ＺＦＭ）との間に配置される請求項１２記載の受信機。
【請求項１４】
上記アナログ／デジタル変換器ユニット（ＡＤ）は、上記信号のベースバンド帯域幅に適合化されたサンプリングレートで動作されることに適する請求項１３記載の受信機。
【請求項１５】
上記アナログ／デジタル変換器ユニット（ＡＤ）は、アンダーサンプリングモードで動作されることに適する請求項１４記載の受信機。
【請求項１６】
無線音声伝送システムであって、
請求項１乃至７のうちの１つの請求項記載の送信機と、
請求項８乃至１５のうちの１つの請求項記載の受信機とを備える無線音声伝送システム。
【請求項１７】
デジタル圧伸装置のためのデジタル圧縮器であって、
入力信号（ＩＮ）を異なる周波数帯域（ＢＳ１〜ＢＳＮ）に分割するフィルタバンク（ＦＢ）と、
上記入力信号（ＩＮ）の異なる周波数帯域（ＢＳ１〜ＢＳＮ）を重み関数（Ｇ１〜ＧＮ）で乗算する少なくとも１つの乗算器ユニット（Ｇ１〜ＧＮ）と、
上記乗算ユニット（Ｇ１〜ＧＮ）の出力信号を合成してフィルタバンク合計信号をもたらす合計フィルタバンク（ＳＦＢ）と、
上記入力信号（ＩＮ）を上記フィルタバンク合計信号に加算して出力信号（ＯＵＴ）を取得する加算ユニット（Ｓ）とを備えるデジタル圧縮器。
【請求項１８】
上記出力信号（ＯＵＴ）を分析するフィルタバンク分析ユニット（ＡＦＢ）と、
上記フィルタバンク分析ユニット（ＡＦＢ）による上記出力信号（ＯＵＴ）の分析に基づいて上記出力信号（ＯＵＴ）の包絡線を推定することにより上記重み関数（Ｇ１〜ＧＮ）を決定する包絡線検出ユニット（ＥＤ）とをさらに備える請求項１７記載のデジタル圧縮器。
【請求項１９】
デジタル圧伸装置のためのデジタル伸張器であって、
出力信号（ＯＵＴ）を異なる周波数帯域（ＢＳ１〜ＢＳＮ）に分割するフィルタバンク（ＦＢ）と、
上記出力信号（ＯＵＴ）の異なる周波数帯域（ＢＳ１〜ＢＳＮ）を重み関数（Ｇ１〜ＧＮ）で乗算する少なくとも１つの乗算器ユニット（Ｇ１〜ＧＮ）と、
上記乗算ユニット（Ｇ１〜ＧＮ）の出力信号を合成してフィルタバンク合計信号をもたらす合計フィルタバンク（ＳＦＢ）と、
上記フィルタバンク合計信号の出力信号を上記入力信号（ＩＮ）から減算して出力信号（ＯＵＴ）を取得する加算ユニット（Ｓ）とを備えるデジタル伸張器。
【請求項２０】
上記入力信号（ＩＮ）を分析するフィルタバンク分析ユニット（ＡＦＢ）と、
上記フィルタバンク分析ユニット（ＡＦＢ）による上記入力信号（ＩＮ）の分析に基づいて上記入力信号（ＩＮ）の包絡線を推定することによって上記重み関数（Ｇ１〜ＧＮ）を決定する包絡線検出ユニット（ＥＤ）とをさらに備える請求項１７記載のデジタル圧縮器。
【請求項２１】
デジタル圧伸装置のためのデジタル圧縮器であって、
入力信号（ＩＮ）を時変フィルタリングする時変フィルタユニット（ＺＶＦ）と、
上記時変フィルタユニット（ＺＶＦ）の出力信号を上記入力信号（ＩＮ）に加算して出力信号（ＯＵＴ）を取得する加算ユニット（Ｓ）とを備えるデジタル圧縮器。
【請求項２２】
上記出力信号（ＯＵＴ）のスペクトル推定を実行するスペクトル推定ユニット（ＳＳＥ）と、
上記スペクトル推定ユニット（ＳＳＥ）のスペクトル推定に基づいて上記時変フィルタユニット（ＺＶＦ）の係数を計算するフィルタ係数計算ユニット（ＦＫＢ）とをさらに備える請求項２１記載のデジタル圧縮器。
【請求項２３】
デジタル圧伸装置のためのデジタル伸張器であって、
出力信号（ＯＵＴ）を時変フィルタリングする時変フィルタユニット（ＺＶＦ）と、
上記時変フィルタユニット（ＺＶＦ）の出力信号を上記入力信号（ＩＮ）から減算して出力信号（ＯＵＴ）を取得する加算ユニット（Ｓ）とを備えるデジタル伸張器。
【請求項２４】
上記入力信号（ＩＮ）のスペクトル推定を実行するスペクトル推定ユニット（ＳＳＥ）と、
上記スペクトル推定ユニット（ＳＳＥ）のスペクトル推定に基づいて上記時変フィルタユニット（ＺＶＦ）の係数を計算するフィルタ係数計算ユニット（ＦＫＢ）とをさらに備える請求項２３記載のデジタル伸張器。
【手続補正２】
【補正対象書類名】明細書
【補正対象項目名】００１７
【補正方法】変更
【補正の内容】
【００１７】
フィルタＦによりステータス情報信号がクリアされた信号は伸張／復号器ＥＤＭに送られて、当該信号が伸張され、伸張／復号器ＥＤＭの出力信号は音声／後処理動作に送られて望ましくない音声信号特性が回避される。これらの特性はオン切換されてもよく、制御ユニットＣＤＭの入力を介して構成されてもよい。オン切換され得るこれらの機能の例は、ミュート回路、線形フィルタリング、子音の低減（デ・エッシング）、音声圧縮及びブリリアンスの増幅（エキサイタ）である。
【手続補正３】
【補正対象書類名】図面
【補正対象項目名】図１
【補正方法】変更
【補正の内容】
【図１】
2008518535.tif 000001
【手続補正４】
【補正対象書類名】図面
【補正対象項目名】図２
【補正方法】変更
【補正の内容】
【図２】
2008518535.tif 000002